(57)【要約】【課題】電子機器から外部機器に供給される電力が不足しているか否かの判定を容易に行うことができる技術を提供する。【解決手段】電子機器は、端子と、電子機器の動作を制御する制御部と、を備え、制御部は、ＳＭＡＲＴ情報が有する電源のＯＮ／ＯＦＦに関する電源情報を外部機器より取得する情報取得部と、端子を介して取り付けられる外部機器が、電子機器から取り外されたか否かを判定する取付判定部と、電源情報と、取付判定部の判定結果とを用いて、外部機器に供給される電力が不足しているか否かを判定する電力判定部と、を有する。【選択図】図４
2020195258.tif 000002
【特許請求の範囲】
【請求項１】
電子機器であって、
外部機器との間でデータを送受信すると共に、電力を前記外部機器に供給するための端子と、
前記電子機器の動作を制御する制御部と、を備え、
前記制御部は、
ＳＭＡＲＴ情報が有する電源のＯＮ／ＯＦＦに関する電源情報を前記外部機器より取得する情報取得部と、
前記端子を介して取り付けられる前記外部機器が、前記電子機器から取り外されたか否かを判定する取付判定部と、
前記電源情報と、前記取付判定部の判定結果とを用いて、前記外部機器に供給される電力が不足しているか否かを判定する電力判定部と、を有する、電子機器。
【請求項２】
請求項１に記載の電子機器であって、
前記電源情報は、電源投入回数であり、
前記情報取得部は、前記電源投入回数を取得する取得動作を２回以上実行し、
前記電力判定部は、前記取付判定部によって前記外部機器が前記電子機器から取り外されていないという判定が成されているにも拘わらず、前記電源投入回数が予め定めた閾値以上増加した場合に、前記外部機器に供給される前記電力が不足していると判定する、電子機器。
【請求項３】
請求項１に記載の電子機器であって、
前記電源情報は、退避回数であり、
前記情報取得部は、前記退避回数を取得する取得動作を２回以上実行し、
前記電力判定部は、前記取付判定部によって前記外部機器が前記電子機器から取り外されていないという判定が成されているにも拘わらず、前記退避回数が予め定めた閾値以上増加した場合に、前記外部機器に供給される前記電力が不足していると判定する、電子機器。
【請求項４】
請求項２または請求項３に記載の電子機器であって、
前記予め定めた閾値は、１である、電子機器。
【請求項５】
請求項１から請求項４までのいずれか一項に記載の電子機器であって、さらに、
前記外部機器の取り外しに関する情報を記憶する記憶部を有し、
前記取付判定部は、前記取り外しに関する情報を用いて前記外部機器が前記電子機器から取り外されたか否かを判定する、電子機器。
【請求項６】
請求項１から請求項４までのいずれか一項に記載の電子機器であって、
前記取付判定部は、前記外部機器との間の通信状態を用いて前記外部機器が前記電子機器から取り外されたか否かを判定する、電子機器。
【請求項７】
請求項１から請求項６までのいずれか一項に記載の電子機器であって、さらに、
前記電力判定部が前記外部機器に供給される電力が不足していると判定した場合に、警告を表示する警告表示部を有する、電子機器。
【請求項８】
請求項７に記載の電子機器であって、
前記制御部は、前記外部機器に供給される電力が不足していると判定された場合において、
前記電源情報が電源投入回数であり、前記電源投入回数の増加の程度が第１の場合には、前記外部機器へのデータ送信を停止することなく前記警告表示部によって第１警告を表示させ、
前記電源投入回数の増加の程度が前記第１の場合よりも大きい第２の場合には、前記外部機器へのデータ送信を停止し、かつ、前記警告表示部によって前記第１警告とは異なる第２警告を表示させる、電子機器。
【請求項９】
請求項７に記載の電子機器であって、
前記制御部は、前記外部機器に供給される電力が不足していると判定された場合において、
前記電源情報が退避回数であり、前記退避回数の増加の程度が第１の場合には、前記外部機器へのデータ送信を停止することなく前記警告表示部によって第１警告を表示させ、
前記退避回数の増加の程度が前記第１の場合よりも大きい第２の場合には、前記外部機器へのデータ送信を停止し、かつ、前記警告表示部によって前記第１警告とは異なる第２警告を表示させる、電子機器。
【請求項１０】
外部機器との間でデータを送受信すると共に、電力を前記外部機器に供給するための端子を有する電子機器が実行する電力判定方法であって、
ＳＭＡＲＴ情報が有する電源のＯＮ／ＯＦＦに関する電源情報を前記外部機器より取得する情報取得工程と、
前記端子を介して取り付けられる前記外部機器が、前記電子機器から取り外されたか否かを判定する取付判定工程と、
前記電源情報と、前記取付判定工程による判定結果とを用いて、前記外部機器に供給される電力が不足しているか否かを判定する電力判定工程と、を備える、電力判定方法。
【請求項１１】
外部機器との間でデータを送受信すると共に、電力を前記外部機器に供給するための端子を有する電子機器が実行するコンピュータプログラムであって、
ＳＭＡＲＴ情報が有する電源のＯＮ／ＯＦＦに関する電源情報を前記外部機器より取得する情報取得機能と、
前記端子を介して取り付けられる前記外部機器が、前記電子機器から取り外されたか否かを判定する取付判定機能と、
前記電源情報と、前記取付判定機能による判定結果とを用いて、前記外部機器に供給される電力が不足しているか否かを判定する電力判定機能と、をコンピュータに実現させる、コンピュータプログラム。
【請求項１２】
電子機器と、前記電子機器とデータの送受信できるサーバ装置と、を備える電子機器システムであって、
前記電子機器は、
外部機器との間でデータを送受信すると共に、電力を前記外部機器に供給するための端子と、
前記電子機器の動作を制御する制御部と、を備え、
前記制御部は、
ＳＭＡＲＴ情報が有する電源のＯＮ／ＯＦＦに関する電源情報を前記外部機器より取得する情報取得部と、
前記端子を介して取り付けられる前記外部機器が、前記電子機器から取り外されたか否かを判定する取付判定部と、を有し、
前記サーバ装置は、
前記電子機器から、前記電源情報と、前記取付判定部の判定結果とを取得し、前記電源情報と前記判定結果とを用いて前記電子機器から前記外部機器に供給される電力が不足しているか否かを判定する電力判定部を有する、電子機器システム。
【請求項１３】
外部機器との間でデータを送受信すると共に、電力を前記外部機器に供給するための端子を有する電子機器と、前記電子機器と前記データの送受信ができるサーバ装置と、を備える電子機器システムが実行する電力判定方法であって、
前記電子機器が、ＳＭＡＲＴ情報が有する電源のＯＮ／ＯＦＦに関する電源情報を前記外部機器より取得する情報取得工程と、
前記電子機器が、前記端子を介して取り付けられる前記外部機器が、前記電子機器から取り外されたか否かを判定する取付判定工程と
前記サーバ装置が、前記電子機器から、前記電源情報と、前記取付判定工程の判定結果とを取得し、前記電源情報と前記判定結果とを用いて前記電子機器から前記外部機器に供給される電力が不足しているか否かを判定する電力判定工程と、を備える、電力判定方法。
【請求項１４】
外部機器との間でデータを送受信すると共に、電力を前記外部機器に供給するための端子を有する電子機器と、前記電子機器と前記データの送受信ができるサーバ装置と、を備える電子機器システムが実行するコンピュータプログラムであって、
前記電子機器が、ＳＭＡＲＴ情報が有する電源のＯＮ／ＯＦＦに関する電源情報を前記外部機器より取得する情報取得機能と、
前記電子機器が、前記端子を介して取り付けられる前記外部機器が、前記電子機器から取り外されたか否かを判定する取付判定機能と
前記サーバ装置が、前記電子機器から、前記電源情報と、前記取付判定機能による判定結果とを取得し、前記電源情報と前記判定結果とを用いて前記電子機器から前記外部機器に供給される電力が不足しているか否かを判定する電力判定機能と、をコンピュータに実現させる、コンピュータプログラム。
【発明の詳細な説明】
【技術分野】
【０００１】
本発明は、電子機器から外部機器に供給される電力が不足しているか否かを判定するための技術に関する。
【背景技術】
【０００２】
従来、電子機器側から端子を介して取り付けられる外部機器に対して電力を供給する技術において、電子機器の電源制御回路は、２つのＵＳＢインタフェースの一方のＵＳＢインタフェースに取り付けられた第１外部機器と、他方のＵＳＢインタフェースに取り付けられた第２外部機器とのそれぞれで消費される電流の和が所定値を超えた場合に、電力供給を停止するように制御する技術が知られている（例えば、特許文献１）。
【先行技術文献】
【特許文献】
【０００３】
【特許文献１】特開２００３−２１６２８７号公報
【発明の概要】
【発明が解決しようとする課題】
【０００４】
外部機器が電子機器の最大給電能力を上回る電力要求（過多電力要求）を行った場合、電子機器は安全のために、供給電圧を下げる等して供給する電力を制限する場合がある。電子機器は、一般に、供給電圧が０Ｖまで下がったときに外部機器に供給される電力が不足していると判定できる。ここで、外部機器がハードディスクドライブ（ＨＤＤ）を備える装置である場合、供給する電力の低下が発生すると、動作不能となる前に、情報を記録したり読み出したりする機能（ドライブ機能）を停止する、すなわちＨＤＤの電源をＯＦＦにする制限動作が実行される場合がある。ドライブ機能が停止した場合でも、電子機器と外部機器との論理的な接続は切断されない。ドライブ機能が停止された場合には、外部機器の動作に必要な電力（要求電力）が低下するため、電子機器は供給する電力の制限を解除して供給電力を正常値に戻す。これにより、外部機器はドライブ機能の停止を解除して再び通常動作を開始することで、過多電力要求を再び電子機器に行う。
【０００５】
このように、外部機器に供給される電力が不足しているにも拘わらず、電子機器は外部機器に供給する電力が不足しているという判定ができずに、制限動作と通常動作とが繰り返される恐れがあった。よって、外部機器に供給される電力が不足しているか否かを精度良く判定できる技術が望まれている。このような要望は、外部機器がＨＤＤである場合にかぎらず、ＵＳＢによって電子機器に取り付けられ、電力が電子機器側から供給される機器に共通する。
【課題を解決するための手段】
【０００６】
本発明は、以下の形態として実現することが可能である。
【０００７】
（１）本発明の一形態によれば、電子機器が提供される。この電子機器は、外部機器との間でデータを送受信すると共に、電力を前記外部機器に供給するための端子と、前記電子機器の動作を制御する制御部と、を備え、前記制御部は、ＳＭＡＲＴ情報が有する電源のＯＮ／ＯＦＦに関する電源情報を前記外部機器より取得する情報取得部と、前記端子を介して取り付けられる前記外部機器が、前記電子機器から取り外されたか否かを判定する取付判定部と、前記電源情報と、前記取付判定部の判定結果とを用いて、前記外部機器に供給される電力が不足しているか否かを判定する電力判定部と、を有する。この形態によれば、電源情報と取付判定部の判定結果とを用いて、外部機器に供給される電力が不足しているか否かの判定を容易に行うことができる。
（２）上記形態であって、前記電源情報は、電源投入回数であり、前記情報取得部は、前記電源投入回数を取得する取得動作を２回以上実行し、前記電力判定部は、前記取付判定部によって前記外部機器が前記電子機器から取り外されていないという判定が成されているにも拘わらず、前記電源投入回数が予め定めた閾値以上増加した場合に、前記外部機器に供給される前記電力が不足していると判定してもよい。この形態によれば、電源投入回数を用いて、外部機器に供給される電力が不足しているか否かの判定を容易に行うことができる。
（３）上記形態であって、前記電源情報は、退避回数であり、前記情報取得部は、前記退避回数を取得する取得動作を２回以上実行し、前記電力判定部は、前記取付判定部によって前記外部機器が前記電子機器から取り外されていないという判定が成されているにも拘わらず、前記退避回数が予め定めた閾値以上増加した場合に、前記外部機器に供給される前記電力が不足していると判定してもよい。この形態によれば、退避回数を用いて、外部機器に供給される電力が不足しているか否かの判定を容易に行うことができる。
（４）上記形態であって、前記予め定めた閾値は、１であってもよい。この形態によれば、外部機器が電子機器から取り外されていないという判定が成されているにも拘わらず、電源投入回数や退避回数が１回増加している場合に電力が不足していると判定できる。
（５）上記形態であって、さらに、前記外部機器の取り外しに関する情報を記憶する記憶部を有し、前記取付判定部は、前記取り外しに関する情報を用いて前記外部機器が前記電子機器から取り外されたか否かを判定してもよい。この形態によれば、取り外しに関する情報を用いて、外部機器が電子機器から取り外されたか否かの判定を容易に行うことができる。
（６）上記形態であって、前記取付判定部は、前記外部機器との間の通信状態を用いて前記外部機器が前記電子機器から取り外されたか否かを判定してもよい。この形態によれば、通信状態を用いて、外部機器が電子機器から取り外されたか否かの判定を容易に行うことができる。
（７）上記形態であって、さらに、前記電力判定部が前記外部機器に供給される電力が不足していると判定した場合に、警告を表示する警告表示部を有していてもよい。この形態によれば、外部機器に供給される電力が不足していることを利用者に報知できる。
（８）上記形態であって、前記制御部は、前記外部機器に供給される電力が不足していると判定された場合において、前記電源情報が電源投入回数であり、前記電源投入回数の増加の程度が第１の場合には、前記外部機器へのデータ送信を停止することなく前記警告表示部によって第１警告を表示させ、前記電源投入回数の増加の程度が前記第１の場合よりも大きい第２の場合には、前記外部機器へのデータ送信を停止し、かつ、前記警告表示部によって前記第１警告とは異なる第２警告を表示させてもよい。この形態によれば、電源投入回数の増加の程度が第１の場合と第２の場合とに応じて、警告表示部に表示させる警告を異ならせることで、利用者に電力不足の程度を報知できる、また上記形態によれば、電源投入回数の増加の回数が小さい第１の場合、例えば、電力不足が深刻でない場合などは、電子機器から外部機器へのデータ送信を継続できる。
（９）上記形態であって、前記制御部は、前記外部機器に供給される電力が不足していると判定された場合において、前記電源情報が退避回数であり、前記退避回数の増加の程度が第１の場合には、前記外部機器へのデータ送信を停止することなく前記警告表示部によって第１警告を表示させ、前記退避回数の増加の程度が前記第１の場合よりも大きい第２の場合には、前記外部機器へのデータ送信を停止し、かつ、前記警告表示部によって前記第１警告とは異なる第２警告を表示させてもよい。この形態によれば、退避回数の増加の程度が第１の場合と第２の場合とに応じて、警告表示部に表示させる警告を異ならせることで、利用者に電力不足の程度を報知できる、また上記形態によれば、退避回数の増加の回数が小さい第１の場合、例えば、電力不足が深刻でない場合などは、電子機器から外部機器へのデータ送信を継続できる。
（１０）本発明の他の一形態によれば、外部機器との間でデータを送受信すると共に、電力を前記外部機器に供給するための端子を有する電子機器が実行する電力判定方法が提供される。この電力判定方法は、ＳＭＡＲＴ情報が有する電源のＯＮ／ＯＦＦに関する電源情報を前記外部機器より取得する情報取得工程と、前記端子を介して取り付けられる前記外部機器が、前記電子機器から取り外されたか否かを判定する取付判定工程と、前記電源情報と、前記取付判定工程による判定結果とを用いて、前記外部機器に供給される電力が不足しているか否かを判定する電力判定工程と、を備える。この形態によれば、電源情報と取付判定工程による判定結果とを用いて、外部機器に供給される電力が不足しているか否かの判定を容易に行うことができる。
（１１）本発明の他の一形態によれば、外部機器との間でデータを送受信すると共に、電力を前記外部機器に供給するための端子を有する電子機器が実行するコンピュータプログラムが提供される。このコンピュータプログラムは、ＳＭＡＲＴ情報が有する電源のＯＮ／ＯＦＦに関する電源情報を前記外部機器より取得する情報取得機能と、前記端子を介して取り付けられる前記外部機器が、前記電子機器から取り外されたか否かを判定する取付判定機能と、前記電源情報と、前記取付判定機能による判定結果とを用いて、前記外部機器に供給される電力が不足しているか否かを判定する電力判定機能と、をコンピュータに実現させる。この形態によれば、電源情報と取付判定機能による判定結果とを用いて、外部機器に供給される電力が不足しているか否かの判定を容易に行うことができる。
（１２）本発明の他の一形態によれば、電子機器と、前記電子機器とデータの送受信できるサーバ装置と、を備える電子機器システムが提供される。前記電子機器は、外部機器との間でデータを送受信すると共に、電力を前記外部機器に供給するための端子と、前記電子機器の動作を制御する制御部と、を備え、前記制御部は、ＳＭＡＲＴ情報が有する電源のＯＮ／ＯＦＦに関する電源情報を前記外部機器より取得する情報取得部と、前記端子を介して取り付けられる前記外部機器が、前記電子機器から取り外されたか否かを判定する取付判定部と、を有し、前記サーバ装置は、前記電子機器から、前記電源情報と、前記取付判定部の判定結果とを取得し、前記電源情報と前記判定結果とを用いて前記外部機器に供給される電力が不足しているか否かを判定する電力判定部を有する。この形態によれば、電源情報と取付判定部の判定結果とを用いて、外部機器に供給される電力が不足しているか否かの判定を容易に行うことができる。
（１３）本発明の他の一形態によれば、外部機器との間でデータを送受信すると共に、電力を前記外部機器に供給するための端子を有する電子機器と、前記電子機器と前記データの送受信ができるサーバ装置と、を備える電子機器システムが実行する電力判定方法が提供される。この電力判定方法は、前記電子機器が、ＳＭＡＲＴ情報が有する電源のＯＮ／ＯＦＦに関する電源情報を前記外部機器より取得する情報取得工程と、前記電子機器が、前記端子を介して取り付けられる前記外部機器が、前記電子機器から取り外されたか否かを判定する取付判定工程と前記サーバ装置が、前記電子機器から、前記電源情報と、前記取付判定工程の判定結果とを取得し、前記電源情報と前記判定結果とを用いて前記電子機器から前記外部機器に供給される電力が不足しているか否かを判定する電力判定工程と、を備える。この形態によれば、電源情報と取付判定工程の判定結果とを用いて、外部機器に供給される電力が不足しているか否かの判定を容易に行うことができる。
（１４）本発明の他の一形態によれば、外部機器との間でデータを送受信すると共に、電力を前記外部機器に供給するための端子を有する電子機器と、前記電子機器と前記データの送受信ができるサーバ装置と、を備える電子機器システムが実行するコンピュータプログラムて提供される。このコンピュータプログラムは、前記電子機器が、ＳＭＡＲＴ情報が有する電源のＯＮ／ＯＦＦに関する電源情報を前記外部機器より取得する情報取得機能と、前記電子機器が、前記端子を介して取り付けられる前記外部機器が、前記電子機器から取り外されたか否かを判定する取付判定機能と前記サーバ装置が、前記電子機器から、前記電源情報と、前記取付判定機能による判定結果とを取得し、前記電源情報と前記判定結果とを用いて前記電子機器から前記外部機器に供給される電力が不足しているか否かを判定する電力判定機能と、をコンピュータに実現させる。この形態によれば、電源情報と取付判定機能による判定結果とを用いて、外部機器に供給される電力が不足しているか否かの判定を容易に行うことができる。
なお、本発明は、種々の態様で実現することが可能である。例えば、本発明は、電子機器、電力判定方法、コンピュータプログラム、電子機器システムの他に、コンピュータプログラムを記録した記録媒体等の形態で実現することができる。
【図面の簡単な説明】
【０００８】
【図１】本発明の第１実施形態としての電子機器と、外部機器と、を備える電子機器システムを説明するための図。
【図２】電子機器と外部機器とのデータ通信のフローチャート。
【図３】外部機器から電子機器への要求電力と、電子機器から外部機器へ供給される供給電力との関係を示す図。
【図４】電子機器が実行する電力判定方法のフローチャート。
【図５】第２実施形態の判定後処理を示すフローチャート。
【図６】本発明の第３実施形態としての電子機器システムを説明するための図である。
【図７】電力判定方法のフローチャート。
【図８】警告表示の他の実施形態を説明するための図。
【発明を実施するための形態】
【０００９】
Ａ．第１実施形態：
図１は、本発明の第１実施形態としての電子機器１０と、外部機器６０と、を備える電子機器システム１００を説明するための図である。電子機器１０と外部機器６０とは、ＵＳＢケーブル９０を用いて、着脱自在に取り付けられている。外部機器６０は、ＵＳＢケーブル９０を通じて、ホスト機器である電子機器１０より電力が供給されることで駆動する。外部機器６０は、外付けハードディスク装置として用いられる磁気ディスク装置であり、例えば、ＳＭＲ(Shingled Magnetic Recording)方式が採用されている。電子機器システム１００では、例えば、電子機器１０のＨＤＤ（hard disk drive）３６に記録されたデータを、外部機器６０に送信して外部機器６０のＨＤＤ８１に書き込む。
【００１０】
外部機器６０は、制御部６２と、ＵＳＢコネクタ７０と、記憶部８０とを備える。制御部６２は、フラッシュＲＯＭ８７に格納されているコンピュータプログラムをＲＡＭ８９に展開して実行することにより外部機器６０の動作を制御する。具体的には、外部機器６０は、動作制御部６４と、ＵＳＢ−ＳＡＴＡブリッジ部６６として機能する。
【００１１】
動作制御部６４は、ＨＤＤ８１の動作を制御する。例えば、動作制御部６４は、アクセス部８５を制御して磁気ヘッド８６を駆動したり、図示しないスピンドルモータを駆動させてプラッタ８２を回転させたりする。
【００１２】
ＵＳＢ−ＳＡＴＡブリッジ部６６は、ＵＳＢとＳＡＴＡ（Serial Advanced Technology Attachment）のインタフェースの変換を行なう。具体的には、ＵＳＢコネクタ７０を介して入力されたＵＳＢデータを、ＳＡＴＡデータに変換してＨＤＤ８１に出力する。また、ＨＤＤ８１から入力されたＳＡＴＡデータを、ＵＳＢデータに変換してＵＳＢコネクタ７０に出力する。
【００１３】
ＵＳＢコネクタ７０は、ＵＳＢケーブル９０によって電子機器１０と電気的に接続するための端子である。
【００１４】
記憶部８０は、ＨＤＤ８１と、フラッシュＲＯＭ８７と、ＲＡＭ８９とを備える。フラッシュＲＯＭ８７は、外部機器６０の動作を制御するための各種プログラムを格納する。ＨＤＤ８１は、プラッタ（磁気ディスク）８２と、アクセス部８５とを有する。ＨＤＤ８１は、プラッタ８２にＳＭＡＲＴ（Self-Monitoring, Analysis and Reporting Technology）情報を記憶している。
【００１５】
アクセス部８５は、プラッタ８２へのデータの書き込みおよびプラッタ８２からのデータの読み出し（以下、「データアクセス処理」と呼ぶ）を実行する。具体的には、アクセス部８５は、プラッタ８２を回転させるためのスピンドルモータ（図示せず）、磁気ヘッド８６が取り付けられたアーム（図示せず）、かかるアームを移動させるアクチュエータ（図示せず）などで構成されている。データアクセス処理が実行される際、アームがプラッタ８２を移動する。
【００１６】
電子機器１０は、制御部１２と、電源コネクタ２１と、電源モジュール２２と、警告表示部２４と、記憶部３０と、端子としてのＵＳＢコネクタ４０とを備える。
【００１７】
制御部１２は、フラッシュＲＯＭ３２に格納されているコンピュータプログラムをＲＡＭ３４に展開して実行することにより電子機器１０の動作を制御する。具体的には、制御部１２は、情報取得部１４と、取付判定部１６と、電力判定部１８と、表示制御部２０として機能する。
【００１８】
情報取得部１４は、外部機器６０からＳＭＡＲＴ情報８３を取得する。ＳＭＡＲＴ情報８３は、ＨＤＤ８１の電源を投入した電源投入回数(Device Power Cycle Count)や、ＨＤＤ８１が強制的に停止することで、磁気ヘッド８６が退避した退避回数(Power-Off Retract Count)を有する。つまり、ＳＭＡＲＴ情報８３は、ＨＤＤ８１の電源のＯＮ／ＯＦＦに関する電源情報を有する。以上のように、情報取得部１４は、外部機器６０から電源情報を含むＳＭＡＲＴ情報８３を取得する。情報取得部１４は、ＳＭＡＲＴ情報８３を取得する度に、ＳＭＡＲＴ情報８３が有する電源情報を記憶部３０に記憶させる。
【００１９】
取付判定部１６は、ＵＳＢコネクタ４０を介して取り付けられている外部機器６０が、電子機器１０から取り外されたか否かを判定する。取付判定部１６は、例えば、外部機器６０の制御部６２との間の通信状態を用いて外部機器６０が電子機器１０から取り外されたか否かを判定してもよい。具体的には、取付判定部１６は、ＵＳＢケーブル９０を介して一定間隔で外部機器６０の制御部６２にポーリング信号を送信する。ポーリング信号に対する外部機器６０から送信されたレスポンス信号を電子機器１０が受信した場合には、外部機器６０が電子機器１０にＵＳＢコネクタ４０、ＵＳＢケーブル９０、および、ＵＳＢコネクタ７０を介して取り付けられている、すなわち外部機器６０が電子機器１０から取り外されていないと判定できる。一方で、情報取得部１４は、ポーリング信号に対する外部機器６０から送信されたレスポンス信号を電子機器１０が受信しなかった場合には、外部機器６０が電子機器１０から取り外されたと判定できる。なお、取付判定部１６は、上記に代えて、外部機器６０の取り外しに関する情報（例えば、アンマウントログ）を用いて外部機器６０が電子機器１０から取り外されたか否かを判定してもよい。外部機器６０の取り外しに関する情報は、ＵＳＢケーブル９０がＵＳＢコネクタ４０から取り外されたことを制御部１２が検出した場合に、記憶部３０に記憶される。つまり、外部機器６０の取り外しに関する情報が記憶部３０に記憶されている場合には、取付判定部１６は、外部機器６０が電子機器１０から取り外されたと判定できる。このように、取付判定部１６は、取り外しに関する情報を用いて、外部機器６０が電子機器１０から取り外されたか否かを容易に判定できる。
【００２０】
電力判定部１８は、情報取得部１４が取得した電源情報と、取付判定部１６の判定結果とを用いて、ＵＳＢケーブル９０を介して電子機器１０から外部機器６０に供給される電力が不足しているか否かを判定する。具体的には、電力判定部１８は、取付判定部１６によって外部機器６０が電子機器１０から取り外されていないという判定が成されているにも拘わらず、電源情報の一例である電源投入回数が予め定めた閾値以上増加した場合に、外部機器６０に供給される電力が不足していると判定する。
【００２１】
表示制御部２０は、警告表示部２４の動作を制御する。例えば、表示制御部２０は、電力判定部１８が判定した判定結果に基づいて、警告表示部２４の動作を制御して利用者に判定結果を報知する。警告表示部２４は、電力判定部１８が外部機器６０に供給される電力が不足していると判定した場合（電力不足判定の場合）に、警告を表示する。警告表示部２４は、青色に発光するランプと、赤色に発光するランプと、黄色に発光するランプとを含むランプ２６を有する。表示制御部２０は、例えば、電力不足判定の場合に赤色に発光するランプを点灯させることで、利用者に電力が不足していることを報知する。
【００２２】
電源コネクタ２１は、ＡＣ電源から電力の供給を受けるためにＡＣアダプターが着脱自在に取り付けられる部分である。
【００２３】
電源モジュール２２は、ＡＣ電源から電力の供給を受けて、電子機器１０の各部１２，２４，３０や、ＵＳＢケーブル９０を介して外部機器６０に電力を供給する。電子機器１０の外部機器６０への最大給電能力は、例えば９００ｍＡ〜１Ａの範囲である。
【００２４】
記憶部３０は、フラッシュＲＯＭ３２と、ＲＡＭ３４と、ＨＤＤ３６とを備える。フラッシュＲＯＭ３２は、電子機器１０の動作を制御するための各種プログラムを格納する。ＨＤＤ３６は、外部機器６０と同様に、プラッタやアクセス部を有する。
【００２５】
図２は、電子機器１０と外部機器６０とのデータ通信のフローチャートである。このフローチャートは、電子機器１０および外部機器６０の電源がＯＮ状態となり、電子機器１０と外部機器６０とがＵＳＢケーブル９０を介して論理的に接続されてデータ通信可能な状態になった後に実行される。まず電子機器１０の制御部１２は、予め定めた時間間隔（例えば、１分間隔）でポーリング信号を外部機器６０に送信する（ステップＳ１０）。このポーリング信号には、ＳＭＡＲＴ情報８３を返信する要求も含む。ポーリング信号を受信した外部機器６０の制御部６２は、電子機器１０にＳＭＡＲＴ情報８３を含むレスポンス信号を送信する（ステップＳ２０）。電子機器１０がレスポンス信号を受信した後に、情報取得部１４はレスポンス信号に含まれるＳＭＡＲＴ情報８３を取得する（ステップＳ３０）。
【００２６】
電子機器１０が実行する電力判定方法を説明する前に、外部機器６０に供給される電力に不足が生じた場合に生じる現象について説明する。図３は、外部機器６０から電子機器１０への要求電力と、電子機器１０から外部機器６０へ供給される供給電力との関係を示す図である。外部機器６０の動作状態によって、外部機器６０が電子機器１０の最大給電能力を上回る電力要求を行う場合が生じ得る。例えば、時刻ｔ１において、外部機器６０の要求電力が、電子機器１０が供給できる最大の供給電力よりも高くなった場合、電子機器１０の制御部１２は、供給電力の制限を実行することで供給電力を低下させる。供給電力が制限されている時刻ｔ２において、外部機器６０の制御部６２は、ＨＤＤ８１が動作不能となる前に、ＨＤＤ８１のドライブ機能を停止する。つまり、制御部６２は、ＨＤＤ８１の電源をＯＮからＯＦＦに切り替える。この時、ＳＭＡＲＴ情報８３には、ＨＤＤ８１をＯＦＦした回数が１加算されたり、退避回数が１加算されたりする。一方で、制御部６２は起動した状態を維持するためＵＳＢケーブル９０を介して電子機器１０と外部機器６０との論理的な接続は維持される。つまり、取付判定部１６は、時刻ｔ２においても、外部機器６０が電子機器１０から取り外されていないという判定を行う。ＨＤＤ８１のドライブ機能が停止されたことにより、要求電力が低下して最大給電能力を下回ったことで、電子機器１０の制御部１２は供給電力の制限を解除する。これにより、時刻ｔ２以降において再びＨＤＤ８１が駆動することで要求電力が上昇し、再び時刻ｔ３において要求電力が最大給電能力を上回る。ＨＤＤ８１が再び駆動した場合には、ＳＭＡＲＴ情報８３には、ＨＤＤ８１をＯＮした回数が１加算される。また再び時刻ｔ３において要求電力が最大給電能力を上回ることにより、再び供給電力の制限が実行される。このように、供給電力の制限、ＨＤＤ８１のドライブ機能の停止、供給電力の制限解除、ＨＤＤ８１のドライブ機能を再開という動作が繰り返し実行される。これにより、外部機器６０の制御部６２は動作しているにも拘わらず、電子機器１０からＨＤＤ８１へのデータの書き込みが極端に遅くなったり、書き込みが完了しなくなったりする現象が生じ得る。ここで、外部機器６０に供給される電力の不足が生じた場合には、外部機器６０が電子機器１０から取り外されていないにも拘わらず、電源ＯＮの回数や電源ＯＦＦの回数が増加する。よって、電源情報と、取付判定部１６の判定結果とを用いて外部機器６０に供給される電力が不足しているか否かを判定できる。
【００２７】
図４は、電子機器１０が実行する電力判定方法のフローチャートである。本フローチャートは、２回目のポーリング信号の送信後において、取付判定部１６が一つのポーリング信号を外部機器６０に向けて送信する毎に実行される。
【００２８】
まず電子機器１０の取付判定部１６は、ＵＳＢケーブル９０が２つのＵＳＢコネクタ４０，７０の少なくとも一方から取り外されることで、外部機器６０が電子機器１０から取り外されたか否かを判定する（ステップＳ４０）。本実施形態では、取付判定部１６は、外部機器６０に送信したポーリング信号に対して、ポーリング信号を送信してから一定時間以内に外部機器６０からのレスポンス信号を受信しなかった場合に、外部機器６０が電子機器１０から取り外されたと判定する。ステップＳ４０において、外部機器６０が電子機器１０から取り外されたと判定された場合には、電力判定方法の処理を終了する。一方で、ステップＳ４０において、外部機器６０が電子機器１０から取り外されていないと判定された場合には、ステップＳ４２以降の処理が実行される。
【００２９】
ステップＳ４２において、取付判定部１６は、電源投入回数が予め定めた閾値以上増加したか否かを判定する。具体的には、取付判定部１６は、電子機器１０と外部機器６０との間のデータ通信が可能になった後に、最初に電子機器１０から外部機器６０に送信したポーリング信号に対する外部機器６０からのレスポンス信号（最初のレスポンス信号）に含まれる電源投入回数を初期値（本実施形態では、初期値は１）として取り扱う。そして、取付判定部１６は、最新のレスポンス信号に含まれる電源投入回数（最新電源投入回数）から初期値を引いた値が、予め定めた閾値以上であるかを判定する。例えば、予め定めた閾値は、外部機器６０の電力不足が生じて、外部機器６０のＨＤＤ８１へのデータ書き込みなどの動作が阻害されると想定される値に設定されてもよく、例えば１であってもよいし、２以上であってもよい。また予め定めた閾値は、単位時間当たりの値として設定されていてもよい。例えば、予め定めた閾値は、１時間当たり１回であってもよいし、２回や３回以上という値であってもよい。
【００３０】
ステップＳ４２において、「Ｎｏ」の判定が成された場合には、電力判定部１８は外部機器６０に供給される電力が不足してないと判定し（ステップＳ５０）、電力判定方法のフローチャートは終了する。
【００３１】
一方で、ステップＳ４２において、「Ｙｅｓ」の判定が成された場合には、電力判定部１８は、外部機器６０に供給される電力が不足していると判定する（ステップＳ４４）。そして、制御部１２は判定後処理を実行する（ステップＳ４６、ステップＳ４８）。
【００３２】
判定後処理では、制御部１２は、ＨＤＤ３６のデータを外部機器６０に送信する送信動作を停止する（ステップＳ４６）。また、制御部１２の表示制御部２０は、警告表示部２４のランプ２６の動作を制御して、警告を表示する（ステップＳ４８）。ステップＳ４８では、例えば、ランプ２６が赤色に点灯する。ステップＳ４６とステップＳ４８の順番は上記に限定されるものではない。なお、判定後処理を実行した後は、電力判定方法のフローチャートは終了する。
【００３３】
上記第１実施形態によれば、電子機器１０は、ポーリング信号を送信するという、電源投入回数を取得する取得動作を２回以上実行し、取得した電源投入回数と、取付判定部１６の判定結果とを用いて、外部機器６０に供給される電力が不足しているか否かの判定を容易に行うことができる。また上記第１実施形態によれば、取付判定部１６は、外部機器６０の制御部６２と電子機器１０の制御部１２との間の通信状態、具体的には、レスポンス信号を受信したか否かを用いて、外部機器６０が電子機器１０から取り外されたか否かの判定を容易に行うことができる。また上記第１実施形態によれば、外部機器６０に供給される電力が不足していると判定された場合には、警告表示部２４を用いて警告を表示している。これにより、外部機器６０に供給される電力が不足していることを利用者に報知できる。また上記第１実施形態によれば、ＳＭＡＲＴ情報の取得トリガーとして、ポーリング信号を用いている。これにより、外部機器６０がＨＤＤ８１にデータの書き込み処理を実行していないアイドル状態や、ＨＤＤ８１にデータの書き込み処理を行っている状態でもＳＭＡＲＴ情報を取得できる。
【００３４】
Ｂ．第２実施形態：
図５は、第２実施形態の判定後処理を示すフローチャートである。上記第１実施形態において、図４に示すように、制御部１２は電力不足判定を行った後に、データ送信の停止と、警告表示とを行っていたが（図４のステップＳ４６，Ｓ４８）、これに限定されるものではなく、電力不足が生じた頻度に応じて、判定後処理の内容を異ならせてもよい。
【００３５】
具体的には図５に示すように、電力判定部１８は、最新電源投入回数から初期値を引いた値である電源投入回数の増加回数が、第１閾値以上であるか否かを判定する（ステップＳ４５）。第１閾値は、図４のステップＳ４２の閾値よりも大きく、外部機器６０の電力不足がある程度の頻度で生じて、外部機器６０のＨＤＤ８１へのデータ書き込みなどの動作が著しく阻害されると想定される値に設定されてもよく、例えば４以上であってもよい。また第１閾値は、単位時間当たりの値として設定されていてもよい。例えば、第１閾値は、１時間当たり４回以上という値であってもよい。
【００３６】
ステップＳ４５で「Ｎｏ」の判定が成された場合、すなわち、電源投入回数の増加の程度が第１の場合には、制御部１２は、外部機器６０のデータ送信を停止することなく、ランプ２６のうちで黄色に発光するランプを点灯させる第１警告を警告表示部２４に表示させる（ステップＳ６２）。
【００３７】
ステップＳ４５で「Ｙｅｓ」の判定が成された場合、すなわち、電源投入回数の増加の程度が第１の場合よりも大きい第２の場合には、制御部１２は、ＨＤＤ３６のデータを外部機器６０に送信する送信動作を停止する（ステップＳ４６）。また、制御部１２は、警告表示部２４によって第１警告とは異なる第２警告を表示させる（ステップＳ６０）。第２警告としては、例えば、ランプ２６のうちで赤色に発光するランプ２６を点灯させることで実行される。なお、ステップＳ４６とステップＳ６０の順番はこれに限定されるものではない。
【００３８】
上記第２実施形態によれば、上記第１実施形態と同様の構成を有する点において同様の効果を奏する。例えば、電子機器１０は、電源情報の一例である電源投入回数と、取付判定部１６の判定結果とを用いて、外部機器６０に供給される電力が不足しているか否かの判定を容易に行うことができる。更に上記第２実施形態によれば、電源投入回数の増加の程度に応じて、警告表示部２４に表示させる警告を異ならせることで、利用者に電力不足の程度を報知できる、また上記第２実施形態によれば、電源投入回数の増加の回数が小さい第１の場合、例えば、電力不足が深刻でない場合などは、電子機器１０から外部機器６０へのデータ送信を継続できる。
【００３９】
Ｃ．第３実施形態：
図６は、本発明の第３実施形態としての電子機器システム１００ａを説明するための図である。上記第１実施形態の電子機器システム１００（図１）との主な違いは、電子機器１０が実行していた電力が不足しているか否かの判定をサーバ装置２００が実行する点である。つまり、電子機器１０ａの制御部１２ａは、電力判定部１８を有さない。第３実施形態の電子機器システム１００ａにおいて、第１実施形態の電子機器システム１００と同様の構成については同様の符号を付すと共に説明を適宜省略する。なお、第３実施形態において、外部機器６０の記憶部８０の詳細は図示していないが、第１実施形態の記憶部８０と同様の構成である。
【００４０】
電子機器１０ａは、通信インタフェース（通信Ｉ／Ｆ）４７を有する。通信Ｉ／Ｆ４７は、他の装置と有線や無線によってデータ通信を行うためのインタフェースである。なお、通信Ｉ／Ｆ４７は、第１実施形態の電子機器１０に設けられていてもよい。
【００４１】
サーバ装置２００は、電子機器１０ａとデータの送受信ができる装置である。サーバ装置２００は、例えば、インターネットＩＮＴを介して電子機器１０ａとデータの送受信を行う。サーバ装置２００は、制御部２０２と、通信インタフェース（通信Ｉ／Ｆ）２０７と、記憶部２０９とを備える。通信インタフェース（通信Ｉ／Ｆ）２０７は、他の装置と有線や無線によってデータ通信を行うためのインタフェースである。記憶部２０９は、フラッシュＲＯＭやＲＡＭなどによって構成されている。記憶部２０９には、電子機器１０ａから受信した情報が記憶される。
【００４２】
制御部２０２は、記憶部２０９に格納されているコンピュータプログラムを実行することで電力判定部２０５として機能する。電力判定部２０５は、第１実施形態の電力判定部１８（図１）と同様の機能を有する。つまり、電力判定部２０５は、電源情報と、取付判定部１６の判定結果とを用いて、外部機器６０に供給される電力が不足しているか否かを判定する。電力判定部２０５は、電力が不足しているか否かの判定結果を電子機器１０ａに送信する。また電力判定部２０５は、電力が不足しているか否かの判定に必要な情報である、電源情報および取付判定部１６の判定結果を電子機器１０ａから取得する。なお、電力判定部２０５は、電源情報を含むＳＭＡＲＴ情報８３を電子機器１０ａから取得して、取得したＳＭＡＲＴ情報８３の中から電源情報を抽出してもよい。
【００４３】
図７は、電力判定方法のフローチャートである。このフローチャートは、電子機器１０、外部機器６０の電源がＯＮ状態となり、電子機器１０と外部機器６０とがＵＳＢケーブル９０を介して論理的に接続されてデータ通信可能な状態になった後に実行される。第１実施形態と同様のステップについては同一符号を付すと共に適宜説明を省略する。
【００４４】
電子機器１０ａは、最初のポーリング信号に対する外部機器６０からのレスポンス信号を受信した場合、初期情報をサーバ装置２００に送信する（ステップＳ１００）。初期情報は、レスポンス信号に含まれるＳＭＡＲＴ情報８３の電源投入回数を含む。初期情報に含まれる電源投入回数は、初期値として取り扱われる。電子機器１０ａは、２回目以降のポーリング信号に対するレスポンス信号を受信する度に、レスポンス信号に含まれるＳＭＡＲＴ情報８３の電源投入回数と、取付判定部１６の判定結果と、を含む判定元情報をサーバ装置２００に送信する（ステップＳ１０２）。判定元情報を受信したサーバ装置２００の電力判定部２０５は、電源投入回数と取付判定部１６の判定結果とを用いて外部機器６０に供給される電力が不足しているか否かの電力判定処理を実行する（ステップＳ１０４）。電力判定処理の内容は、第１実施形態の電力判定部１８が実行する内容と同様であり、図４に示すステップＳ４０〜ステップＳ４４、または、ステップ４０，Ｓ４２，Ｓ５０の処理が実行される。電力判定処理が実行された後、電力判定部２０５は、電力判定処理の判定結果を表す電力結果情報を電子機器１０ａに送信する（ステップＳ１０６）。電力結果情報は、電力が不足しているか否かの判定情報に加え、初期値に対する電源投入回数の増加回数情報を含んでもよい。電力結果情報を受信した電子機器１０ａの制御部１２ａは、電力結果情報を用いて判定後処理を実行する（ステップＳ１０８）。判定後処理としては、例えば、第１実施形態の判定後処理（図４）を含んでもよい。例えば、制御部１２ａは、電力結果情報が電力不足であるとの判定を含む場合には、図４に示すステップＳ４６およびステップＳ４８を実行し、電力不足でないとの判定を含む場合にはステップＳ４６およびステップＳ４８を実行しない。また判定後処理としては、例えば、第２実施形態の判定後処理（図５）と同様の処理であってもよい。
【００４５】
上記第３実施形態によれば、上記各実施形態と同様の構成を有する点において同様の効果を奏する。例えば、電子機器１０は、電源情報の一例である電源投入回数と、取付判定部１６の判定結果とを用いて、外部機器６０に供給される電力が不足しているか否かの判定を容易に行うことができる。また、電力判定処理をサーバ装置２００が実行することで、電子機器１０ａの処理負荷を軽減できる。
【００４６】
Ｄ．警告表示の他の実施形態：
上記各実施形態では、電力が不足している場合の警告は電子機器１０，１０ａの警告表示部２４が行っていたが、これに限定されるものではない。例えば、上記各実施形態の警告に代えて、または、上記各実施形態の警告に加えて、他の端末機器に警告を表示させてもよい。図８は、警告表示の他の実施形態を説明するための図である。図８では、第１実施形態の電子機器１０を例に説明する。電子機器１０の電力判定部１８が電力不足であると判定した場合、無線や有線によって電子機器１０に取り付けられた他の端末機器３０１，３０３，３０９に電力が不足していることを示す警告を表示させてもよい。他の端末機器としては、例えば、パーソナルコンピューター（ＰＣ）３０３や、スマートフォンなどの携帯端末３０１や、テレビモニター３０９などが挙げられる。他の端末機器３０１，３０３，３０９に表示させる警告としては、例えば、ＰＣ３０３の表示部２０４に、電力不足が生じていることを示す表示マーク３１０や、電力不足を表す第１メッセージ３１２や、電力不足の為の対応を表す第２メッセージ３１４を表示させる。具体的には、まずＰＣ３０３に表示マーク３１０を表示させ、表示マーク３１０が選択された場合には、第１メッセージ３１２や第２メッセージ３１４を表示部３０４に表示させる。第１メッセージ３１２には、電力不足を表す内容「電力不足検出」に加えて、電子機器１０が行った具体的な処理内容「データ送信停止」などが含まれてもよい。第２メッセージ３１４としては、例えば、サポート受付画面であり、第２メッセージ３１４が選択された場合には、電力不足が生じていることの情報が、電子機器１０をサポートするための外部機関に送信される。また、サーバ装置３０５を介して、予め登録された携帯電話などの端末機器にメールなどで電力不足が生じていることを表すメッセージを送信してもよい。
【００４７】
上記他の実施形態によれば、利用者に対して電力不足が生じていることや、電力不足によって電子機器１０が行った処理内容を、他の端末機器３０１，３０３，３０９を用いて報知できる。
【００４８】
Ｅ．その他の実施形態：
Ｅ−１．第１の他の実施形態：
上記各実施形態では、電力判定部１８，８５は、外部機器６０に供給される電力が不足しているか否かの判定を、ＳＭＡＲＴ情報に含まれる電源投入回数と、取付判定部１６の判定結果とを用いて行っていたが、これに限定されるものではない。例えば、電力判定部１８，８５は、ＳＭＡＲＴ情報に含まれる電源投入回数に代えて、ＳＭＡＲＴ情報に含まれる電源情報の他の一例である退避回数(Power-Off Retract Count)を用いてもよい。この場合、電力判定部１８，８５が実行する電力判定処理は、電源投入回数を退避回数に代用することで実行できる。このようにしても上記各実施形態と同様の効果を奏する。
【００４９】
Ｅ−２．第２の他の実施形態：
上記各実施形態では、電子機器１０，１０ａがＳＭＡＲＴ情報を取得するトリガーは、ＳＭＡＲＴ情報の送信要求を含むポーリング信号を外部機器６０に送信することであったが、ＳＭＡＲＴ情報を取得するトリガーはこれに限定されるものではない。初期値の電源情報を含むＳＭＡＲＴ情報をポーリング信号に対するレスポンス信号によって取得した後においては、他のトリガーによって２回目以降のＳＭＡＲＴ情報を取得してよい。具体的には、電子機器１０，１０ａは、電子機器１０，１０ａから外部機器６０へのデータの伝送速度を検出し、伝送速度が予め定めた閾値を下回った場合に、ＳＭＡＲＴ情報を取得するための要求を外部機器６０に送信してもよい。また、電子機器１０，１０ａは、外部機器６０のＩＯＰＳ（Input/output operations per second)を検出し、ＩＯＰＳが予め定めた閾値を下回った場合に、ＳＭＡＲＴ情報を取得するための命令を外部機器６０に送信してもよい。第２の他の実施形態によれば、外部機器６０は、ＳＭＡＲＴ情報８３を生成して電子機器１０に送信するための処理をポーリング信号の受信毎に行う必要がないので、外部機器６０の処理負荷を軽減できる。
【００５０】
Ｅ−３．第３の他の実施形態：
上記各実施形態では、外部機器６０として、磁気ディスク装置であったがこれに限定されるものではない。例えば外部機器６０としてパーソナルコンピューターや、タブレット型の端末などＵＳＢケーブル９０を介して電子機器１０から電力が供給される他の機器であってもよい。また、外部機器６０は、ＨＤＤ８１に代えてＳＳＤ（Solid State Drive）を有する機器であってもよい。
【００５１】
上記各実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。ハードウェアとしては、例えば、集積回路、ディスクリート回路、または、それらの回路を組み合わせたモジュールを利用可能である。
【００５２】
本発明は、上述の各実施形態に限られるものではなく、その趣旨を逸脱しない範囲において種々の構成で実現することができる。例えば、発明の概要の欄に記載した各形態中の技術的特徴に対応する各実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５３】
１０，１０ａ…電子機器、１２，１２ａ…制御部、１４…情報取得部、１６…取付判定部、１８…電力判定部、２０…表示制御部、２１…電源コネクタ、２２…電源モジュール、２４…警告表示部、２６…ランプ、３０…記憶部、３２…フラッシュＲＯＭ、３４…ＲＡＭ、３６…ＨＤＤ、４０…ＵＳＢコネクタ、６０…外部機器、６２…制御部、６４…動作制御部、６６…ＵＳＢ−ＳＡＴＡブリッジ部、７０…ＵＳＢコネクタ、８０…記憶部、８１…ＨＤＤ、８２…プラッタ、８３…ＳＭＡＲＴ情報、８５…アクセス部、８６…磁気ヘッド、８７…フラッシュＲＯＭ、８９…ＲＡＭ、９０…ＵＳＢケーブル、１００，１００ａ…電子機器システム、２００…サーバ装置、２０１…携帯端末、２０２…制御部、２０４…表示部、２０５…電力判定部、２０９…記憶部、３０１…携帯端末、３０４…表示部、３０５…サーバ装置、３０９…テレビモニター、３１０…表示マーク、３１２…第１メッセージ、３１４…第２メッセージ
【図１】
2020195258.tif 000003
【図２】
2020195258.tif 000004
【図３】
2020195258.tif 000005
【図４】
2020195258.tif 000006
【図５】
2020195258.tif 000007
【図６】
2020195258.tif 000008
【図７】
2020195258.tif 000009
【図８】
2020195258.tif 000010